(57)【要約】      （修正有）【課題】トング台等においてトングやトレーを設置した状態で、容易にかつ効果的に殺菌を行うことができる紫外線殺菌装置を提供する。【解決手段】紫外線殺菌装置１００は、紫外線発生手段１０１と、紫外線発生手段１０１を保持するアーム１０３と、アーム１０３を取付対象物の支持部材２０１に係合させる係合手段１０２とを少なくとも有する。アーム１０３は、紫外線発生手段１０１から発生する紫外光が、照射対象物３０１、３０２の上方から照射される位置となるように係合手段１０２から延伸され、紫外線発生手段１０１は、照射対象物３０１、３０２に対向しない面に、紫外線遮断カバー１０４が設けられている。【選択図】図１
0003228722.tif 000002
【実用新案登録請求の範囲】
【請求項１】
紫外線発生手段と、前記紫外線発生手段を保持するアームと、前記アームを取付対象物の支持部材に係合させる係合手段とを少なくとも有し、
前記アームは、前記紫外線発生手段から発生する紫外光が、照射対象物の上方から照射される位置となるように前記係合手段から延伸され、
前記紫外線発生手段は、前記照射対象物に対向しない面に、紫外線遮断カバーが設けられていることを特徴とする紫外線殺菌装置。
【請求項２】
前記紫外線発生手段は、前記紫外線遮断カバーで覆われており、前記紫外線遮断カバーには、少なくとも１方向に開口部が設けられている、請求項１記載の紫外線殺菌装置。
【請求項３】
前記紫外線発生手段と前記アームとは、角度調整が可能となるように可動に保持されている、請求項１または請求項２に記載の紫外線殺菌装置。
【請求項４】
トング台用であって、前記係合手段は前記トング台のトング保持部に係合可能である、請求項１から請求項３のいずれかに記載の紫外線殺菌装置。
【考案の詳細な説明】
【技術分野】
【０００１】
本考案は、紫外線殺菌装置に関する。
【背景技術】
【０００２】
商品を客が自分でトレーに取るセルフサービス方式のパン店等の店舗には、入り口付近にトングおよびトレーが設置されて、各自が使用する方式が採用されている。トングはトング台のバーに掛けられ、トレーはトング台上に重ねて置かれている場合が多い。トングおよびトレーは、清浄化されたうえでトング台に設置されている。トング等の殺菌のためには、殺菌容器内にトング等を収容して殺菌を行う紫外線殺菌装置が用いられている（例えば、特許文献１参照）。
【先行技術文献】
【特許文献】
【０００３】
【特許文献１】特開２０１５−１６５８３４号公報
【考案の概要】
【考案が解決しようとする課題】
【０００４】
しかしながら、一旦殺菌処理がされた物品であっても、人が行き交う場所のオープンスペースに設置されることで、汚染が懸念される場合がある。そこで、本考案は、トング台等においてトングやトレー等の照射対象物を設置した状態で、容易にかつ効果的に殺菌を行うことができる紫外線殺菌装置を提供することを目的とする。
【課題を解決するための手段】
【０００５】
前記目的を達成するために、本考案の紫外線殺菌装置は、
紫外線発生手段と、前記紫外線発生手段を保持するアームと、前記アームを取付対象物の支持部材に係合させる係合手段とを少なくとも有し、
前記アームは、前記紫外線発生手段から発生する紫外光が、照射対象物の上方から照射される位置となるように前記係合手段から延伸され、
前記紫外線発生手段は、前記照射対象物に対向しない面に、紫外線遮断カバーが設けられていることを特徴とする。
【０００６】
本考案の紫外線殺菌装置において、前記紫外線発生手段は、前記紫外線遮断カバーで覆われており、前記紫外線遮断カバーには、少なくとも１方向に開口部が設けられていることが好ましい。
【０００７】
本考案の紫外線殺菌装置において、前記紫外線発生手段と前記アームとは、角度調整が可能となるように可動に保持されていることが好ましい。
【０００８】
本考案の紫外線殺菌装置はトング台用であって、前記係合手段は前記トング台のトング保持部に係合可能であることが好ましい。
【考案の効果】
【０００９】
本考案によると、トング台等においてトングやトレー等の照射対象物を設置した状態で、容易にかつ効果的に殺菌を行うことができる紫外線殺菌装置を提供することができる。
【図面の簡単な説明】
【００１０】
【図１】図１は、本考案の実施形態に係る紫外線殺菌装置１００の設置状態を示す図である。
【図２】図２は、本考案の実施形態に係る紫外線発生手段（紫外線ランプ）１０１付近の構造の拡大図である。
【考案を実施するための形態】
【００１１】
以下、本考案の紫外線殺菌装置の実施の形態を、図面を参照しながら説明する。ただし、本考案は、以下の例に限定および制限されない。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１２】
本考案の紫外線殺菌装置は、クランプによりトング台等に対して着脱自在に固定できるアームライトタイプの紫外線殺菌装置である。図１は、本考案の実施形態に係る紫外線殺菌装置１００の設置状態を示す図である。本実施形態において、紫外線殺菌装置１００は、パン店の店頭等に配置されるトング台２００に取り付けられている。紫外線殺菌装置１００は、紫外線発生手段１０１と、紫外線発生手段１０１を保持するアーム１０３と、係合手段１０２とを備えている。アーム１０３は、取付対象物であるトング台２００のトング保持部２０１（支持部材）に係合させる係合手段（クランプ）１０２によってトング台２００に取り付けられている。そして、アーム１０３は、紫外線発生手段１０１から発生する紫外光が、照射対象物であるトング３０１の上方から照射される位置となるように係合手段１０２から延伸されている。
【００１３】
ここで、「上方から照射」とは、照射対象物の真上である必要はなく、斜め上方向からの照射であってもよい。ただし、紫外線の照射領域は、照射が必要な部分について選択的に照射されるように配置されることが好ましく、照射対象物を超えて過度に手前側まで広がらないようにすることが好ましい。
【００１４】
紫外線発生手段１０１には、照射対象物（トング３０１）に対向しない面に、紫外線遮断カバー１０４が設けられている。紫外線遮断カバー１０４は、紫外線発生手段１０１の上方および側方に設けられていることが好ましい。紫外線殺菌装置１００がトング台２００に取り付けられる場合、トング３０１を取ろうとする人の顔などには紫外線が直接当たらないようにすることが重要である。紫外線発生手段（紫外線ランプ）１０１付近の構造の一例の拡大図を図２に示す。紫外線発生手段１０１は、紫外線遮断カバー１０４で覆われている。紫外線遮断カバー１０４には、少なくとも１方向に開口部１０５が設けられている。開口部１０５は、紫外線照射が必要となる面（方向）に形成されており、本実施形態においては、紫外線遮断カバー１０４には、トング３０１の方向に向けてスリット（開口部）１０５が設けられている。このような構成の紫外線遮断カバーとすることで、紫外線照射が必要な部分を選択的に照射可能としている。紫外線遮断カバー１０４は、紫外線に対して劣化しにくい材料からなることが好ましく、例えば、アルミニウム等を用いることができる。紫外線遮断カバー１０４が、紫外線を反射させる材料であると、紫外線遮断カバー１０４内で紫外線照射側の面方向に紫外線を反射させて照射効率を向上させ、殺菌効果を高めることも可能である。また、紫外線発生手段１０１のスリット（開口部）１０５側の面には、例えば透明アクリル板やＰＶＣシート等の紫外線透過板を設けておくことで、紫外線発生手段１０１を保護するとともに、紫外線発生手段１０１破損時の飛散を防止することができる。
【００１５】
照射対象物として、上記ではトング３０１について述べたが、例えば、トング３０１を保持するトング保持部２０１の下方にトレー設置台２０２を設けておき、トレー設置台２０２上に置かれたトレー３０２（トング３０１とセットで使用される）にも、紫外線発生手段１０１から発生する紫外光が照射されるようにすると、より好ましい。
【００１６】
紫外線発生手段１０１としては、例えば、波長２５３．７ｎｍの６Ｗまたは４Ｗの殺菌用ランプ（紫外線ランプ）を使用することができる。これらのランプを用いることで、小型軽量化を実現するとともに、省電力で、優れた殺菌効果を得ることができる。紫外線ランプの照射によると、空気中を浮遊する各種細菌やウイルスを殺菌する、いわゆる空間殺菌が可能である。紫外線照射による殺菌は、有毒ガスや薬剤等による殺菌ではないので、人が密集する密閉空間や、様々な施設の室内空気殺菌に最適であり、場所を選ばないというメリットがある。また、紫外線ランプは、低コストで、一般家庭用の電源で駆動させることができるので、特別な工事が不要で、取り扱いも容易である。
【００１７】
なお、紫外線ランプ１０１として、透明ＰＶＣ管内に配置した４Ｗ殺菌灯を用い、排水ピット内の排水をサンプルとして水槽に採取し、撹拌しながら、排水中に殺菌灯を入れた状態で紫外線照射を行ったところ、稼働（紫外線照射）前はバクテリア数が１０５個程度であったところ、稼働１時間後は１０３個程度に減少していた。バクテリア数は、チェッカーを用いて対照表から判定した。さらに、チェッカーに採取した検体に、６Ｗ殺菌灯（反射板方式、透過板なし）を用いて照射距離約１０ｃｍで３０秒間の追加照射を行ったところ、バクテリア数がほぼ０となった。以上のデータからも、これらの殺菌用ランプを用いることで、トング台等における殺菌が効果的に行われることがわかる。
【００１８】
紫外線発生手段１０１は、アーム１０３により保持されている。従来の殺菌装置のように、箱の中で紫外線を発生させたり、閉空間を構成するようなフードを設けるような形状ではないため、トング台２００等の取付対象物に設置しても違和感がない。また、設置のためのスペースはあまり取らないため、現在トング台が配置されている場所に、そのまま設置することができる。
【００１９】
本実施形態においては、紫外線殺菌装置１００を、トング台２００のトング保持部２０１の支柱部分に、係合手段１０２により取り付けている。アーム１０３は、紫外線を上部から照射させるように紫外線ランプ１０１を保持する形状を有しており、係合手段１０２により、取り付けの角度等を調整することが可能である。係合手段１０２としては、蟹バサミ型強力クランプ（カニクランプ）を用いることで、トング台２００等に容易に取り付けることができ、ランプ位置の調整も容易に行うことができる。図１においては、係合手段１０２をトング保持部（支持部材）２０１の支柱部分に取り付ける態様を示しているが、取り付け可能な強度の支柱がトング周囲にない場合には、トレー設置台２０２やトング台２００の支柱２０３に係合手段１０２を取り付けてもよい。アーム１０３は、各種取付け態様に対応するように、伸縮可能な構造を有していることも好ましい。また、係合手段１０２としてクランプを用いる場合、クランプ可動域は、１０〜５０ｍｍであることが好ましい。
【００２０】
紫外線発生手段１００とアーム１０３とは、角度調整が可能となるように可動に保持されていることが好ましい。これにより、紫外線殺菌装置１００を取り付けた後に、照射位置の微調整が容易となる。また、収納時には、紫外線発生手段１００とアーム１０３とが対向するように折りたたんで、コンパクトにすることもでき、好ましい。
【００２１】
本考案の紫外線殺菌装置１００は、紫外線を上部から照射させることで、トング３０１の持ち手部分を重点的に殺菌するとともに、トング３０１の下方のトレー設置台２０２に積まれているトレー３０２の殺菌も行うことができる。紫外線ランプ１０１から照射対象物（トング３０１、トレー３０２等）までの距離は、２０ｃｍ〜１００ｃｍの範囲内となる位置に取付けることが好ましい。
【００２２】
以上、本考案の紫外線殺菌装置の具体例として、トング台用の紫外線殺菌装置１００を挙げて本考案を説明したが、本考案の紫外線殺菌装置は、具体例で記載されたもののみに限定されるものではなく、種々の態様が可能である。本考案の紫外線殺菌装置は、トング台に好適に用いることができるが、これに限定されず、ビュッフェのカトラリー置き場等、紫外線殺菌装置の使用が要望される種々の用途に適用することができる。
【符号の説明】
【００２３】
１００  紫外線殺菌装置
１０１  紫外線発生手段（紫外線ランプ）
１０２  係合手段（クランプ）
１０３  アーム
１０４  紫外線遮断カバー（ランプカバー）
１０５  スリット（開口部）
２００  トング台
２０１  トング保持部（支持部材）
２０２  トレー設置台
２０３  支柱
３０１  トング
３０２  トレー
【図１】
0003228722.tif 000003
【図２】
0003228722.tif 000004